【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
所定の遊技を行うことが可能な遊技機であって、
前記遊技機に設けられた電気部品を制御する電子部品が搭載された回路基板と、
前記回路基板を収容するとともに、該回路基板の一面側を視認可能とする第１の透視部及び該回路基板の他面側を視認可能とする第２の透視部が設けられた基板ケースと、
前記遊技機に取り付けられる固定ベース部と、
前記基板ケースが取り付けられ、前記固定ベース部に対して、前記回路基板の一面側を前記第１の透視部を通して視認可能となる第１の位置と前記回路基板の他面側を前記第２の透視部を通して視認可能となる第２の位置との間で回動可能に支持される可動ベース部と、
前記遊技機に前記固定ベース部を取り付けるための取付部材と、
を備え、
前記基板ケースまたは前記可動ベース部には、前記第１の位置と前記第２の位置との間の回動範囲内において前記取付部材の取り外し操作を阻止する取外操作阻止部が形成され、
前記遊技機は、少なくとも前記固定ベース部と前記可動ベース部と前記基板ケースとを一体として解除不能に組み付けた組付状態において、前記固定ベース部からの前記可動ベース部の取り外し及び前記可動ベース部からの前記基板ケースの取り外しが不能化され、
前記固定ベース部は、前記第１の位置と前記第２の位置との回動範囲内において前記取外操作阻止部により前記遊技機から前記取付部材を取り外すことが阻止されることによって、少なくとも前記組付状態において前記遊技機からの取り外しが不能化され、
前記取外操作阻止部は、前記第１の位置と前記第２の位置との間の回動範囲内において前記取付部材の上方を覆い、
前記固定ベース部には、前記取付部材の側方を覆う保護部が形成されている
ことを特徴とする遊技機。
【手続補正２】
【補正対象書類名】明細書
【補正対象項目名】０００１
【補正方法】変更
【補正の内容】
【０００１】
本発明は、所定の遊技を行うことが可能な遊技機に関する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明は、基板ケースに対する不正行為を抑制することができる遊技機を提供することを目的とする。
【手続補正５】
【補正対象書類名】明細書
【補正対象項目名】０００９
【補正方法】変更
【補正の内容】
【０００９】
上記課題を解決するために、本発明の請求項１に記載の遊技機は、
所定の遊技を行うことが可能な遊技機であって、
前記遊技機に設けられた電気部品を制御する電子部品が搭載された回路基板と、
前記回路基板を収容するとともに、該回路基板の一面側を視認可能とする第１の透視部及び該回路基板の他面側を視認可能とする第２の透視部が設けられた基板ケースと、
前記遊技機に取り付けられる固定ベース部と、
前記基板ケースが取り付けられ、前記固定ベース部に対して、前記回路基板の一面側を前記第１の透視部を通して視認可能となる第１の位置と前記回路基板の他面側を前記第２の透視部を通して視認可能となる第２の位置との間で回動可能に支持される可動ベース部と、
前記遊技機に前記固定ベース部を取り付けるための取付部材と、
を備え、
前記基板ケースまたは前記可動ベース部には、前記第１の位置と前記第２の位置との間の回動範囲内において前記取付部材の取り外し操作を阻止する取外操作阻止部が形成され、
前記遊技機は、少なくとも前記固定ベース部と前記可動ベース部と前記基板ケースとを一体として解除不能に組み付けた組付状態において、前記固定ベース部からの前記可動ベース部の取り外し及び前記可動ベース部からの前記基板ケースの取り外しが不能化され、
前記固定ベース部は、前記第１の位置と前記第２の位置との回動範囲内において前記取外操作阻止部により前記遊技機から前記取付部材を取り外すことが阻止されることによって、少なくとも前記組付状態において前記遊技機からの取り外しが不能化され、
前記取外操作阻止部は、前記第１の位置と前記第２の位置との間の回動範囲内において前記取付部材の上方を覆い、
前記固定ベース部には、前記取付部材の側方を覆う保護部が形成されている
ことを特徴としている。
本発明の手段１の遊技機は、
回路基板（遊技制御基板４０／主基板１０３１）を収納するベース体（ベース部材２０１／１２０１）及び前記カバー体（カバー部材２０２／１２０２）とからなる基板ケース（２００／主基板ケース１２００）を備える遊技機（スロットマシン１／パチンコ遊技機１００１）であって、
前記遊技機に取り付けられる固定ベース部（固定ベース３０１）と、
前記基板ケースが取り付けられ、前記固定ベース部に対して、前記回路基板の一面側を前記第１の透視部を通して視認可能となる第１の位置（第１の回動規制位置Ａ）と前記回路基板の他面側を前記第２の透視部を通して視認可能となる第２の位置（第２の回動規制位置Ｂ）との間で回動可能に支持される可動ベース部（可動ベース３０２）と、
固有の識別情報（ＩＤ情報）が記憶される記憶部（ＩＣチップ４０５／１４０５）及び該記憶部に記憶された前記識別情報を含む電波を発信するアンテナ部（４０６／１４０６）を有する電子タグ（４０３／１４０３）と、
前記電子タグを有し、前記ベース体とカバー体とを封止状態（封印状態）とするために用いられる封印シール（４００／１４００）と、
前記ベース体に設けられ、前記封印シールの一端側が貼付されるベース体側シール貼付部（ベース側封印部２２９の後貼付面２２９ａ及び右下貼付面２２９ｂ／ベース側封印部１２２９の後貼付面１２２９ａ及び左下貼付面１２２９ｂ）と、
前記カバー体に設けられ、前記封印シールの他端側が貼付されるカバー体側シール貼付部（カバー側封印部２２４の前貼付面２２４ａ及び右上貼付面２２４ｂ／カバー側封印部１２２４の左上貼付面１２２４ｂ）と、
前記ベース体に前記カバー体を組み付け、前記封印シールを前記ベース体側シール貼付部と前記カバー体側シール貼付部とに跨るように貼付した前記封止状態（封印状態）において、該封印シールの表面を被覆するシール被覆部材（シール保護カバー２２８／１２２８）と、
前記ベース体側シール貼付部または前記カバー体側シール貼付部のうち少なくとも一方の周縁の少なくとも一部に突設され、前記封印シールの貼付位置を決定するための位置決め突部（位置決め凸条４１１，４２１、位置決め角部４１２，４２２／位置決め凸条１４１１，１４２１、位置決め角部１４１２，１４２２）と、
を備え、
前記封止状態から該封止状態を解除した際に、前記電子タグに破損が生じ前記アンテナ部からの前記識別情報を含む電波の発信が不可能となり、
前記位置決め突部は、前記シール被覆部材に当接可能、かつ、該当接によりシール被覆部材と前記封印シールの表面との間に隙間（ＳＰ）を形成可能に設けられ、
前記シール被覆部材は、前記基板ケースに着脱自在に設けられ、
前記可動ベース部は、少なくとも前記固定ベース部と前記可動ベース部と前記基板ケースとを一体として解除不能に組み付けることによって、前記第１の位置と前記第２の位置との間においても前記シール被覆部材を前記基板ケースから取り外し不可とする規制部（側壁３１０ｃ、３１０ｄ）を備える
ことを特徴としている。
この特徴によれば、電子タグの記憶部に記憶されている識別情報を読取装置により読み取ることで、回路基板の交換等の不正行為が行われた可能性があることを容易に発見できるとともに、封止状態を解除してカバー体を開封すると、封印シールに破損が生じてその痕跡が確実に残るだけでなく、電子タグに破損が生じて識別情報を読取装置等により読み取ることができなくなるため、カバー体が開封された可能性があることを容易に発見することができるとともに、該電子タグの不正使用が防止される。また、封止状態において封印シールの表面がシール被覆部材により保護されることで、封印シールや電子タグに直接触れることができなくなるため、封印シールや電子タグに対する不正行為を極力防止できるとともに、基板ケースの遊技機への取り付け、取り外し作業時や使用時等において電子タグに何らかの外力が加わって破損が生じることを回避することができる。さらに、位置決め部が突設されていることで、封印シールを突部に付き合せるだけで正確に位置決めできるばかりか、封印シールの周縁に設けられた位置決め突部によりシール被覆部材が当接支持されることで、封印シールとシール被覆部材との対向面を非接触状態に維持することができ、シール被覆部材に加わった外力が封印シールや電子タグに直接伝わることがないので、封印シールや電子ダグに破損が生じることを防止できる。
【手続補正６】
【補正対象書類名】明細書
【補正対象項目名】００１０
【補正方法】変更
【補正の内容】
【００１０】
本発明の手段２の遊技機は、手段１に記載の遊技機であって、
前記封印シール（４００／１４００）は略方形（長方形）状に形成され、少なくとも一の角部には切欠辺（４１０）が形成され、
前記位置決め突部（位置決め角部４１２，４２２／位置決め角部１４１２，１４２２）は、前記切欠辺に合致する位置決め面（４２２ａ，１４２２ａ）を有する
ことを特徴としている。
この特徴によれば、封印シールの角部に切欠辺を対応する位置決め面に合致させて配置することにより切欠辺と位置決め面とが線接触するため、封印シールの貼付位置を確実に決定できるばかりか、封印シールの角部外側に位置決め面が配置されることで、封印シールを角部から捲り上げて剥離することが困難になるため、封印シールを剥離して不正に開封することを防止できる。
【手続補正７】
【補正対象書類名】明細書
【補正対象項目名】００１１
【補正方法】変更
【補正の内容】
【００１１】
本発明の手段３の遊技機は、手段１または２に記載の遊技機であって、
前記アンテナ部（４０６／１４０６）は、破損が生じても前記電波を発信可能な発信可能部（アンテナ部における発信不可能部（溝部４０６ｃが延設される領域Ｒ４）以外の部位）及び破損が生じると前記電波を発信不可となる発信不可能部（溝部４０６ｃが延設される領域Ｒ４）と、を有し、
前記発信不可能部を、前記封止状態において前記ベース体側シール貼付部（ベース側封印部２２９の後貼付面２２９ａ及び右下貼付面２２９ｂ／ベース側封印部１２２９の後貼付面１２２９ａ及び左下貼付面１２２９ｂ）と前記カバー体側シール貼付部（カバー側封印部２２４の前貼付面２２４ａ及び右上貼付面２２４ｂ／カバー側封印部１２２４の左上貼付面１２２４ｂ）との境界位置に配置されるようにした
ことを特徴としている。
この特徴によれば、封止状態を解除してカバー体を開封することでアンテナ部が確実に破損されて識別情報を読取装置等により読み取ることができなくなるため、カバー体が開封された可能性があることを容易に発見することができる。
【手続補正８】
【補正対象書類名】明細書
【補正対象項目名】００１２
【補正方法】変更
【補正の内容】
【００１２】
本発明の手段４の遊技機は、手段１〜３のいずれかに記載の遊技機であって、
前記シール被覆部材（シール保護カバー１２２８）は、前記ベース体（ベース部材１２０１）または前記カバー体（カバー部材１２０２）のいずれか一方に形成された被係止部（係止穴１６２４）に係脱可能な係止部（弾性係止片１６２２の係止爪１６２２ａ）を有し、
前記封止状態を解除した状態において、前記被係止部に前記係止部を係止したまま前記ベース体に前記カバー体を開閉可能に形成されている（図４３（ｂ）参照）
ことを特徴としている。
この特徴によれば、回路基板の検査を行うために封止状態を解除する際には、被係止部と係止部との係止状態を解除することでシール被覆部材を簡単に取り外すことができる。また、シール被覆部材を取り外して封止状態を解除しても、カバー体をベース体またはカバー体のいずれかに係止することができるので、シール被覆部材の紛失を防止できるばかりか、係止状態のままカバー体を開閉できるので、開閉作業を容易に行うことができる。
【手続補正９】
【補正対象書類名】明細書
【補正対象項目名】００１３
【補正方法】変更
【補正の内容】
【００１３】
本発明の手段５の遊技機は、手段１〜４のいずれかに記載の遊技機であって、
前記シール被覆部材（シール保護カバー１２２８）は、前記基板ケース（１２００）に対して着脱自在に取り付けられ、
前記基板ケースを前記遊技機（パチンコ遊技機１００１）に設けたケース配置位置（図３５参照）に配置した状態において、前記遊技機を構成する構成部位または該遊技機に配設された遊技用部品に規制されて前記基板ケースから取り外し不可となるように設けられる
ことを特徴としている。
この特徴によれば、基板ケースをケース配置位置に配置するとシール被覆部材の取り外し方向への移動が構成部位や遊技用部品により規制され、基板ケースから取り外すことができなくなるため、封印シールや電子タグへの不正行為を効果的に防止できる。
【手続補正１０】
【補正対象書類名】明細書
【補正対象項目名】００１４
【補正方法】変更
【補正の内容】
【００１４】
本発明の手段６に記載の遊技機は、手段１〜５のいずれかに記載の遊技機であって、
前記ベース体（ベース部材２０１／１２０１）に前記カバー体（カバー部材２０２／１２０２）を組み付けるための部材であって、前記ベース体または前記カバー体のうち一方に形成される挿通部（取付穴２２７／１６１０及び凹部２２７ａ／１６１０ａ）に挿通され他方に形成される被取付部（ネジ孔２０９／１６１１）に取り付けられる取付部（棒状部に形成された雄ネジ部）と、前記挿通部に連通し前記一方のシール貼付部（カバー側封印部２２４の前貼付面２２４ａ／ベース側封印部１２２９の後貼付面１２２９ａ）に臨むように形成される開口部（凹部２２７ａの開口２２７ｂ／凹部１６１０ａの開口１６１０ｂ）に収納される頭部（棒状部の一端に形成される頭部）と、からなる組付部材（閉鎖ネジ２２６／１２２６）と、
前記ベース体側シール貼付部（ベース側封印部１２２９の後貼付面１２２９ａ及び左下貼付面１２２９ｂ）及び前記カバー体側シール貼付部（カバー側封印部１２２４の左上貼付面１２２４ｂ）からなるシール貼付部は、
前記ベース体と前記カバー体との境界位置（Ｚ）を挟んで連続する第１貼付面（ベース側封印部１２２９の左下貼付面１２２９ｂ及びカバー側封印部１２２４の左上貼付面１２２４ｂ）と、
該第１貼付面とは異なる方向を向くとともに前記開口部が形成される第２貼付面（ベース側封印部１２２９の後貼付面１２２９ａ）と、
を含み、
前記封印シール（１４００）は、前記境界位置と前記開口部とを被覆するように貼付される
ことを特徴としている。
この特徴によれば、ベース体とカバー体との組み付けが解除された場合だけでなく、ベース体とカバー体との組み付けを解除するために組付部材が被取付部から取り外された場合にも痕跡が残るため、封止状態が解除された可能性があることを発見しやすくなるばかりか、第１貼付面と第２貼付面との間に屈曲部が形成されるため、封印シールを剥離しようとする際に破損が生じやすくなる。
【手続補正１１】
【補正対象書類名】明細書
【補正対象項目名】００１５
【補正方法】変更
【補正の内容】
【００１５】
本発明の手段７の遊技機は、手段６に記載の遊技機であって、
前記基板ケース（１２００）は平面視略方形状（長方形）に形成され、
前記第１貼付面（ベース側封印部１２２９の左下貼付面１２２９ｂ及びカバー側封印部１２２４の左上貼付面１２２４ｂ）は、前記基板ケースの側面とほぼ平行に形成され、
前記第２貼付面（ベース側封印部１２２９の後貼付面１２２９ａ）は、前記基板ケースの平面（カバー板１２０２ａ）及び底面（ベース板１２０１ａ）とほぼ平行に形成され、
前記第１貼付面は、該第１貼付面の周縁が前記基板ケースの側面の周縁よりも内側に配置され、かつ、面積が前記第２貼付面の面積よりも大に形成されている（図４１参照）
ことを特徴としている。
この特徴によれば、基板ケースの側面から第２貼付面を側方に向けて大きく突出させなくても、基板ケースの側面の範囲内で第１貼付面を極力大型化することで広いシール貼付面を確保できるため、基板ケースをコンパクト化できるばかりか、アンテナ部がケース本体の側方に突出して周辺の装置や部品等に接触しやすくなることを回避できる。
本発明の手段８の遊技機は、手段１〜７のいずれかに記載の遊技機であって、
前記遊技機は、少なくとも前記固定ベース部と前記可動ベース部と前記基板ケースとを一体に組み付けた組付状態において、前記固定ベース部と前記可動ベース部及び前記可動ベース部と前記基板ケース双方の組付状態の解除がそれぞれ不能化され、
前記固定ベース部は、前記第１の位置と前記第２の位置との回動範囲においても少なくとも前記組付状態において前記遊技機からの取り外しが不能化されている
ことを特徴としている。